(57)【要約】      （修正有）【課題】下穴に形成した雌ねじの不要部位を除去することを可能としたタップを提供する。【解決手段】ねじ部６の先方側にはタップ側取付け部１２が突起形態で設けられ、このタップ側取付け部１２には逆回転抜き動作で雌ねじ９のシーム１８が形成された不要部位である山頂部位１０を除去する下穴８径よりも小径の不要部位除去部１１が、圧入形態ないし焼嵌め形態で固定されている。【選択図】図３
2020078836.tif 000002
【特許請求の範囲】
【請求項１】
被加工材に設けられた下穴の壁を正回転動作でねじ形成加工して螺旋部を形成する、食付部と平行ねじ部とからなるねじ部を備えてなるタップ本体と、
前記食付部の先端より先側に設けられた、前記螺旋部の不要部位を逆回転抜き動作で除去する不要部位除去部と、を備えてなることを特徴とするタップ。
【請求項２】
前記不要部位除去部は前記タップ本体の母材とは別体であり、且つ、圧入、焼嵌め、ねじ止め、接着、溶接、ロウ付け等により固定されさた形態であることを特徴とする請求項１記載のタップ。
【請求項３】
前記不要部位除去部は、複数の切屑排出溝、該切屑排出溝の間に設けれた複数のランド、前記複数のランドに前記不要部位を切除により除去する複数の切除刃とを備えた形態であることを特徴とする請求項１又は２記載のタップ。
【請求項４】
前記ねじ部が、前記下穴の壁を正回転動作で塑性変形させて前記螺旋部を形成するねじ部であり、
前記不要部位が前記螺旋部の雌ねじの山頂部位であり、
前記不要部位除去部が前記山頂部位を除去する山頂除去部であることを特徴とする請求項１、２又は３記載のタップ。
【請求項５】
前記ねじ部が、前記下穴を正回転動作で切削して前記螺旋部を形成するねじ部であり、
前記不要部位が、前記切削を停止したときに前記食付部の刃の停止した前記螺旋部の箇所に形成される段差であるストップマークであり、
前記不要部位除去部が前記ストップマークを除去するストップマーク除去部であり、
前記ストップマーク除去部の直径は、タッピングする下穴の下穴径よりも小径で、前記食付部の直径よりも大径であり、かつ、厚さは１．５ピッチ以上であることを特徴とする請求項１、２又は３記載のタップ。
【請求項６】
被加工材に設けられた下穴に正回転動作で螺旋部を形成するねじ部を有するタップ本体と、
前記ねじ部の先端側に設けられた突起形態の又は穴形態のタップ側取付け部と、を備えてなるとともに、
前記タップ側取付け部に、穴形態の又は突起形態の除去側取付け部を有する不要部位除去部の該除去側取付け部を圧入、焼嵌め、ねじ止め等により固定可能としたものであり、
前記不要部位除去部は、逆回転抜き動作で前記螺旋部の不要部位を除去する切除刃、研磨部、研削部などの除去手段を有するものであることを特徴とするタップ。
【請求項７】
被加工材に設けられた下穴に正回転動作で螺旋部を形成するねじ部を有するタップ本体、このタップ本体の先方に取付けられるタップの不要部位除去体であって、
逆回転抜き動作で前記螺旋部の不要部位を除去する不要部位除去部と、
この不要部位除去部に突起形態ないし穴形態で設けられた、前記タップ本体の先端側に設けられた穴形態ないし突起形態のタップ側取付け部に圧入、焼嵌め、ねじ止等により固定するための除去側取付け部と、を備えてなるとともに、
前記不要部位除去部は、逆回転抜き動作で前記螺旋部の不要部位を除去する切除刃、研磨部、研削部などの除去手段を有するものであることを特徴とするタップの不要部位除去体。
【請求項８】
タップ素材であって、タップ素材本体と、このタップ素材本体のシャンクと、前記タップ素材本体の前記シャンクの前方に形成された、ねじが形成されていないねじ形成部と、このねじ形成部の先端側に設けられた突起形態ないし穴形態の、ねじ部が形成された完成タップで被加工材の下穴に形成した螺旋部の不要部位を除去する不要部位除去部を圧入、焼嵌め、ねじ止等により固定するためのタップ側取付け部と、を備えてなるとともに、
前記タップ側取付け部は加工の必要な非完成形態又は加工の必要のない完成形態であることを特徴とするタップ素材。
【発明の詳細な説明】
【技術分野】
【０００１】
本発明は、被加工材の下穴に雌ねじを含む螺旋部を形成しその不要部位を除去するタップ、タップの不要部位除去体並びにタップ素材に関する。
【背景技術】
【０００２】
従来の盛上げタップ（ロータータップ、転造タップとも呼ばれ、油溝付型や油溝無し型がある。）において、正回転動作によって下穴を塑性変形して雌ねじを形成した場合、該雌ねじの頂部にシームと呼ばれる凹部位が形成されたる。
かかるシームのある部位は、バリの原因となり不良品の対象となったり、雄ねじとの螺合により脱落して製品に悪影響を与える虞があったり、また、雌ねじが形成された部品を鍍金加工した場合、シーム部位に鍍金液が残留して錆の発生原因になるなどの不具合を生じさせるものであり、かかるシームのある山頂部位は雌ねじにとって不要部位であるものである。。
また、被加工材の下穴の径がばらついている場合、塑性変形で形成された雌ねじの内径にバラツキが生じ、該内径が一定でない雌ねじが形成される場合もあった。
そこで、雌ねじの頂部を逆回転抜動作時に不要部位を切除してシームが無くかつ内径が一定の雌ねじを形成するための頂部切除刃を食付部などのねじ部の一部を研削ないし研磨して設けた盛上げタップが知られている。（例えば、特許文献１の発明）
【０００３】
従来の切削テーパタップにおいて、ねじ部の外周に周方向へ溝部を挾んで互いの刃の断面形状が同じである切削刃と転造刃を交互に配設してなり、前記転造刃はラジアル部と当該ラジアル部の両側に形成されたレリーフドロップとを有し、雌ねじのねじ山全体を塑性加工するもので、切削テーパタップで必然的に発生していた不要部位であるストップマーク（カットマーク）が前記転造刃による塑性加工で圧し潰し消す切削・転造複合タップが知られている。（例えば、特許文献２の発明）
【先行技術文献】
【特許文献】
【０００４】
【特許文献１】特許第２８８０１２２号公報
【特許文献２】特許第４３２４３３７号公報
【発明の概要】
【発明が解決しようとする課題】
【０００５】
上述した特許文献１の盛上げタップは、頂部切除刃をねじ部の一部を研削形成ないし研磨形成して設けた形態であるので、次に述べるような欠点を有するものであった。
（１）ねじ部に頂部切除刃を設ける形態であるので、食付き機能・動作及び雌ねじ形成機能・動作に悪影響を生じない範囲で、頂部切除刃を研削ないし研磨操作によって形成しなければならず、高度で慎重な形成技術が必要であり（小径であればあるほど難しい）、形成不良が生じた場合にはタップそのものを不良としなければならず、不良発生によるコストの発生、頂部切除刃の精密な形成操作、慎重で厳格な品質検査などのコストが大きいという問題を有するものであった。
（２）ねじ部に頂部切除刃を設ける形態であるので、ねじ部の雌ねじ形成機能を損なうことのない範囲でしか切除刃を設けることができず、それは一箇所にしか設けることができないことを意味し、それは１つの刃で頂部を切除する形態であるので、頂部切除刃の酷使が大きく耐久性に問題を有するものであった。また、頂部切除刃が使用不可となった場合には、ねじ部の使用ができても使用不可となるものであった。
（３）前記（２）であることとともに、頂部切除刃はタップ本体の母材そのものであるので、その耐久性及び切削性能はかかる母材に限定されてしまうとともに、タップ本体の母材よりも高耐久性のあるもの、切削性能ないし研磨性能の優れた材質の素材、表面処理（焼入れ、機能膜など）を施したもの、又はそれらの逆の素材などは使用できないという問題を有するものであった。
（４）ねじ部の一部の狭い範囲に頂部切除刃を設けた形態であり、頂部切除刃の刃形態が垂直線形態であり、それは雌ねじ山頂部位に非傾斜形態で当たる非傾斜切込動作となるものであり、切削衝撃及び切削抵抗が大きくなるという欠点を有するものであった。
（５）頂部切削刃の次のランド（ねじ山）は、他のランドの２倍の加工を行うため、このランドの寿命が短くなり耐久力を決定してしまうことがあるものであった。
（６）また、タップ上に頂部切除刃を形成する工程においって、円周上の１っ箇所で山頂部の切除加工を行っているため、タップ加工が終了する直前に偏芯して、食付部内径寸法が規格外になることが生じることがあり、それによる不良品が生じるものであった。
【０００６】
また、上述した特許文献２の切削テーパタップは、テーパ雌ねじを形成する切削テーパタップでしかストップマーク（不要部位）を圧し潰し消すことは出来ないし、切削刃と転造刃がねじ部に共存しないと出来ないものである。すなわち、ストレート（非テーパ）の雌ねじを切削形成する平行ねじ部の切削タップで発生する食付部によるストップマーク（不要部位）の除去はできないものであった。
【０００７】
本発明は以上のような従来技術の欠点に鑑み、（１）被加工材の下穴に雌ねじを含む螺旋部を形成するねじ部（食付部を含む）以外の箇所に、前記螺旋部の不要部位を除去する不要部位除去部を設けたないし設けることが可能とされたタップを提供することを目的としている。
（２）被加工材の下穴を塑性変形させて雌ねじを形成するねじ部（食付部を含む）以外の箇所に、雌ねじの不要部位を除去する不要部位除去部を設けたないし設けることが可能とされた盛上げタップからなるタップを提供することを目的としている。
（３）被加工材の下穴を切削して雌ねじを含む螺旋部を形成するねじ部（食付部を含む）以外の箇所に、前記螺旋部に形成されるストップマーク（ストップライン、カットライン、カットマークなどとも呼ばれる。））である不要部位を除去する不要部位除去部を設けたないし設けることが可能とされた切削タップからなるタップを提供することを目的としている。
（４）また、前記（１）、（２）又は（３）の目的に加えて、不要部位除去部がタップ本体の母材とは異なる材質の素材ないし異なる表面処理等が施されたタップを提供することを目的としている。
（５）また、前記（１）、（２）又は（３）の目的に加えて、不要部位除去部が圧入、焼嵌め、ねじ止め等により取付け可能形態としたタップを提供することを目的としている。
（６）また、タップに取付けることで被加工材の下穴に形成した螺旋部の不要部位を除去することを可能とするタップの不要部位除去体を提供することを目的としている。
（５）また、前記（２）の目的において、不要部位を切削除去する際の切削抵抗及び切削衝撃の小さいタップを提供することを目的としている。
（７）また、被加工材の下穴を切削して雌ねじを含む螺旋部の不要部位を除去することを可能とするタップの不要部位除去体を取付け固定するためのタップ側取付け部の形成を容易にするないしタップ側取付け部を完成形態で有するタップ素材を提供することを目的としいている。
【課題を解決するための手段】
【０００８】
上記目的を達成するために、本発明は次のような構成としている。
＜請求項１の発明＞
被加工材に設けられた下穴の壁を正回転動作でねじ形成加工して螺旋部を形成する、食付部と平行ねじ部とからなるねじ部を備えてなるタップ本体と、
前記食付部の先端より先側に設けられた、前記螺旋部の不要部位を逆回転抜き動作で除去する不要部位除去部と、を備えてなることを特徴とするタップである。
＜請求項２の発明＞
前記不要部位除去部は前記タップ本体の母材とは別体であり、且つ、圧入、焼嵌め、ねじ止め、接着、溶接、ロウ付け等により固定されさた形態であることを特徴とする請求項１記載のタップである。
＜請求項３の発明＞
前記不要部位除去部は、複数の切屑排出溝、該切屑排出溝の間に設けれた複数のランド、前記複数のランドに前記不要部位を切除により除去する複数の切除刃とを備えた形態であることを特徴とする請求項１又は２記載のタップである。
＜請求項４の発明＞
前記ねじ部が、前記下穴の壁を正回転動作で塑性変形させて前記螺旋部を形成するねじ部であり、
前記不要部位が前記螺旋部の雌ねじの山頂部位であり、
前記不要部位除去部が前記山頂部位を除去する山頂除去部であることを特徴とする請求項１、２又は３記載のタップある。
＜請求項５の発明＞
前記ねじ部が、前記下穴を正回転動作で切削して前記螺旋部を形成するねじ部であり、
前記不要部位が、前記切削を停止したときに前記食付部の刃の停止した前記螺旋部の箇所に形成される段差であるストップマークであり、
前記不要部位除去部が前記ストップマークを除去するストップマーク除去部であり、
前記ストップマーク除去部の直径は、タッピングする下穴の下穴径よりも小径で、前記食付部の直径よりも大径であり、かつ、厚さは１．５ピッチ以上であることを特徴とする請求項１、２又は３記載のタップである。
＜請求項６の発明＞
被加工材に設けられた下穴に正回転動作で螺旋部を形成するねじ部を有するタップ本体と、
前記ねじ部の先端側に設けられた突起形態の又は穴形態のタップ側取付け部と、を備えてなるとともに、
前記タップ側取付け部に、穴形態の又は突起形態の除去側取付け部を有する不要部位除去部の該除去側取付け部を圧入、焼嵌め、ねじ止め等により固定可能としたものであり、
前記不要部位除去部は、逆回転抜き動作で前記螺旋部の不要部位を除去する切除刃、研磨部、研削部などの除去手段を有するものであることを特徴とするタップである。
＜請求項７の発明＞
被加工材に設けられた下穴に正回転動作で螺旋部を形成するねじ部を有するタップ本体、このタップ本体の先方に取付けられるタップの不要部位除去体であって、
逆回転抜き動作で前記螺旋部の不要部位を除去する不要部位除去部と、
この不要部位除去部に突起形態ないし穴形態で設けられた、前記タップ本体の先端側に設けられた穴形態ないし突起形態のタップ側取付け部に圧入、焼嵌め、ねじ止等により固定するための除去側取付け部と、を備えてなるとともに、
前記不要部位除去部は、逆回転抜き動作で前記螺旋部の不要部位を除去する切除刃、研磨部、研削部などの除去手段を有するものであることを特徴とするタップの不要部位除去体である。
＜請求項８の発明＞
タップ素材であって、タップ素材本体と、このタップ素材本体のシャンクと、前記タップ素材本体の前記シャンクの前方に形成された、ねじが形成されていないねじ形成部と、このねじ形成部の先端側に設けられた突起形態ないし穴形態の、ねじ部が形成された完成タップで被加工材の下穴に形成した螺旋部の不要部位を除去する不要部位除去部を圧入、焼嵌め、ねじ止等により固定するためのタップ側取付け部と、を備えてなるとともに、
前記タップ側取付け部は加工の必要な非完成形態又は加工の必要のない完成形態であることを特徴とするタップ素材である。
【発明の効果】
【０００９】
本発明にあっては次に列挙する効果が得られる。
＜請求項１の発明の効果＞
不要部位除去部を食付部の先端より先端側に設けた構成、すなわちねじ部に不要部位除去部を設けていない構成であるので、ねじ部に特別な加工を施す必要のないという作用効果を奏する。
また、不要部位除去部がねじ部とは別部位であるので、不要部位除去部を複数の切除刃等とする、不要部位除去部に被膜をコートする、不要部位除去部を安価なもの高耐久性ものなどにすることを可能にするという作用効果を奏する。
＜請求項２の発明の効果＞
前記請求項１記載の発明と同様な効果を奏するとともに、不要部位除去部はタップ本体の母材とは別体であるので、不要部位除去部の低コストの素材、高切削性能の素材、高耐久性の素材等にでき、その不要部位除去構造も効果的な多様な形態を採用できるという作用効果を奏する。
また、不要部位除去部はタップ本体の母材とは別体であるので、不要部位除去部を圧入、焼嵌め、ねじ止め等の取り外し可能な形態で固定する構造とすることも可能であり、交換可能な形態とするなら、破損時の交換、再研磨、被膜などの再コーティング含む再処理、不要部位除去部を設けないでのねじ形成加工等を実現可能とするものである。
＜請求項３の発明の効果＞
前記請求項１又は２記載の発明と同様な効果を奏するとともに、複数の切屑排出溝があるので切屑の排出を円滑に行うことができ、かつ、切屑の噛み込み等が生じいないタップを実現する。
また、複数の切除刃（例えば２〜４刃）を設けているので、切除刃を複数設けることにより１つの不要部位の切除を複数の切除刃で担うことを可能とできる。すなわち、１つの切除刃の切込み肉厚を薄くできる（切削屑が薄くなる）ので、切除刃毎の切削抵抗および切り込み衝撃を小さいものとでき、また、ランドごとの複数の切除刃がそれぞれ雌ねじ山頂に切り込んで行くので、振れや偏芯が起こり難く、また小さくできるものである。
＜請求項４の発明の効果＞
請求項１、２又は３記載の発明と同様な効果を奏するとともに、盛上げタップであるので、（１）山頂除去部（不要部位除去部）をねじ部の先方側に設けた構成であるので、ねじ部に山頂除去刃（不要部位除去手段）を有さない該ねじ部が全て転造ねじ部位からなる構成であっても、ねじ部の先方側に設けた（ねじ部には設けていない）不要部位除去部によって抜き回転動作である逆回転動作時に、シームを有する雌ねじの不要部位である山頂部位を除去することを実現する。
（２）ねじ部が不要部位除去部（山頂除去部）位を有さない全て転造ねじ部位とできるので、その形態とするなら、従来技術である特許文献１の（１）で述べた欠点を解消するものである。
（３）山頂除去部（不要部位除去部）をねじ部の先方側に設けた構成、すなわち該ねじ部ではない位置に山頂除去部（不要部位除去部）を備えている形態であるので、ねじ部ではない位置の山頂除去部（不要部位除去部）のみを熱処理する、電着処理をする又は蒸着膜等の表面処理をするなどの処理を行うことが可能であり、またかかる処理等を行ったものを使用可能とできるので、ねじ部に影響を与えないで不要部位除去部山頂除去部の耐久性、切削性能を強化することを可能にする。
（４）また、山頂除去部（不要部位除去部）をねじ部の先方側に設けた構成であので、山頂除去部（不要部位除去部）をタップ本体とは別体として後付けて取付けること可能とできるものであり、当該後付け可能とするなら、山頂除去部（不要部位除去部）をタップ本体とは異なる素材（例えば、安価素材、高耐久性素材など。）とでき、熱処理、被膜処理などの処理も山頂除去部（不要部位除去部）のみを行うことを可能とするものである。
＜請求項５の発明の効果＞
請求項１、２又は３記載の発明と同様な効果を奏するとともに、平行ねじ部（非テーパねじ部）の切削タップであり、切削動作が停止した時の食付部の刃によって螺旋部に形成される段差であるストップマーク（不要部位）を、タッピングする下穴の下穴径よりも小径で、前記食付部の直径よりも大径であり、かつ、厚さは１．５ピッチ以上であるストップマーク除去部（不要部位除去部）によって、逆回転抜き動作で削り除去することを実現するという作用効果を奏する。
＜請求項６の発明の効果＞
ねじ部の先端側にタップ側取付け部を設けているので、このタップ側取付け部に除去側取付け部を有する不要部位除去部を取り付けることができるタップを実現している。
＜請求項７の発明の効果＞
不要部位除去体は下穴に形成された雌ねじの不要部位を除去する不要部位除去部と除去側取付け部を有しているので、前記除去取側付け部を、タップ本体の先端側に設けられた穴形態ないし突起形態のタップ側取付け部に、圧入、焼嵌め、ねじ止等により固定して、不要部位除去部付きのタップを簡単、容易に実現できる。
＜請求項８の発明の効果＞
突起形態ないし穴形態のタップ側取付け部が形成し易い形態ないし予め設けた形態で提供されるので、不要部位除去部を有するタップないし不要部位除去部を取付けやすくしたタップを形成し易くでき、また低コストにできる。
【図面の簡単な説明】
【００１０】
【図１】本発明の実施例１の盛り上げタップの下穴に入れる前の正面図（左図）及び下穴に食付いた状態の正面図（右図）。
【図２】本発明の実施例１の部分拡大正面図。
【図３】本発明の実施例１の下穴に雌ねじを転造形成している状態図。
【図４】本発明の実施例１の抜き動作、抜き動作に伴う切除された雌ねじ頂部切屑の落下途中および穴底に溜まっている状態図。
【図５】本発明の実施例１のタップ本体の部分断面図（上図）及び不要部位除去部の底面図（下図）。
【図６】本発明の実施例１のタップの部分断面図。
【図７】本発明の実施例２のタップの部分断面図（上図）及びそれとは異なるタップの部分断面図（下図）。
【図８】本発明の実施例３のタップの部分断面図（上図）及びそれとは異なるタップの部分断面図（下図）。
【図９】本発明の実施例４のタップの部分断面図（上図）及び不要部位除去体の断面図（下図１３）。
【図１０】本発明の実施例５の部分正面図。
【図１１】本発明の実施例６のタップ素材の正面図（左図）及びそれとは異なるタップ素材の正面図（右図）。
【図１２】本発明の実施例７の切削タップの正面図。
【図１３】本発明の実施例７のストップマーク除去部の正面図（上図）及び底面図（下図）。
【発明を実施するための形態】
【００１１】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１２】
図１〜図６に示す本発明の実施例１において、盛上げタップであるタップ１（油溝なし型）は次のような構成である。
タップ本体２は、シャンク３と、このシャンク３に連絡する平行ねじ部４と、この平行ねじ部４に連続する該タップ本体２の先端側に設けられた食付部５と、平行ねじ部４と食付部５とからなるねじ部６と、を備えた構成であり、被加工材７に設けられた下穴８の壁を正回転動作（螺旋部形成動作）で、ねじ部６で塑性変形させて雌ねじ９を形成するものである。
【００１３】
ねじ部６の先方側には、タップ本体２の母材からなる該ねじ部６の先端径より小径のタップ側取付け部１２が丸棒状の突起形態で設けられている。
このタップ側取付け部１２には、逆回転抜き動作で雌ねじ９のシーム１８が形成されている不要部位である山頂部位１０を除去する下穴８径よりも小径の不要部位除去部である山頂除去部１１が、圧入形態ないし焼嵌め形態で固定されねじ部６の先端に密着した形態で先方側に位置され、引き抜きないし焼き抜きにより取り外すことが可能とされている。
不要部位除去部（山頂除去部）の不要部位の除去手段はは切刃に限らず、例えばヤスリ、研削部材、研磨部材等も技術的範囲に含むものである。
【００１４】
タップ側取付け部１２とは別体である（タップ本体２とは別体）である山頂除去部１１（不要部位除去部）は、ここでは３つの（２つ以上、好ましくは３〜４つ）の切屑排出溝１３，１３，１３、該切屑排出溝１３，１３，１３の間に設けれた３つのランド１４、１４、１４、該ランドランド１４、１４、１４に山頂部位１０（不要部位）を切除する切刃形態の切除刃１５が設けられ、中央にはタップ側取付け部１２が圧入される穴形態（貫通穴、止まり穴のいずれでもよい。）の除去側取付け部１６が設けられ、ランド１４、１４、１４の外周面は不要部位の除去手段である切除刃１５部位を頂点にし、さらに逃げ１７が形成されている。（主に図５参照）
【００１５】
ここでは、タップ１は、例えばメートル細目ねじＭ１０、ピッチ１ｍｍ、食付部５の長さ２ｍｍとしている。
山頂除去部１１の直径は、JIS 規格6H級の雌ねじ内径引っ掛かり率100%(8.917mm) から78.3%(9.153mm)を満足させるために、引っ掛かり率85% （雌ねじの内径寸法と略等しい）外径としている。
本実施例では、アルミ合金鋳物からなる被加工材７に引っ掛かり率が95% から100%になるように下穴８を設けたものを用いて雌ねじ９を形成する場合について説明する。
図示しないタッピングマシン等にタップ１を取付け、タップ１を正回転動作（雌ねじ形成動作）（図３矢印方向）させて食付部５から下穴８に進入させる。下穴８の壁はねじ部６による塑性流動によって盛上がり、雌ねじ山の形成が始まる。食付部５での盛上がり内径は、下穴８の径を引っ掛かり率100%に設定した時であっても、有効径及び外径共に食付部５のテーパ角度に応じて小さくなるため、食付部５では最大80%しかねじ山は盛上がらない。従って、山頂除去部１１と盛上がり途中の雌ねじ９の内径とには隙間があいて接触することがない。
続いて平行ねじ部４が進入すると、被加工材７の雌ねじ山は更に盛上がって雌ねじ９が形成される。この時、雌ねじ９の山頂部位には深さ約0.15〜0.2mm程度の凹みであるシーム１８が形成される（図３の状態）。
【００１６】
所定の深さの雌ねじ９を形成したら、タップ１を逆回転抜き動作させる（図４矢印方向）。山頂除去部１１が雌ねじ９に到達し抜進行するにともなって雌ねじ９の山頂部位１０は切除刃１５によって切除され行き（図４参照）、切除された部位はシーム１８を有する切屑１９となり、該切屑１９は落下し止まり穴ではねじ穴底に溜まる（図４で途中にあるのは落下中の切屑１９である。）。タップ１が被加工材７から抜けて雌ねじ９の形成が完了する。切除刃１５部位の直径は、引っ掛かり率が85%(9.078mm)になっているため、加工後の雌ねじ９の内径は、9.08〜9.10mmの範囲に切除されて一定の内径寸法に加工され、かつ、雌ねじ９の山頂部位１０に存在するシーム１８もほとんどが除去される。
【００１７】
山頂除去部１１はタップ本体２とは別体であるので、切除性能の高いもの、耐久性の高いもの、タップ母材より高価な材質のもの、安価な材質のものなどを使用することができる。
また、山頂除去部１１は交換可能であるので、切削性能が低下したら新しいもの（再生したものを含む）等に交換することを可能している。
【００１８】
また、被加工材７に設けられた下穴８の壁を、正回転動作で塑性変形させて雌ねじ９を形成するねじ部６を有するタップ本体２と、前記ねじ部６の先端側に設けられた突起形態のタップ側取付け部１２と、を備えてなるとともに、前記タップ側取付け部１２に、穴形態の除去側取付け部１６を有する山頂除去部１１の該除去側取付け部１６を圧入ないし焼嵌めにより固定可能としたものであり、前記山頂除去部１１は、逆回転抜き動作で前記雌ねじ９の山頂部位１０を除去する前記下穴８径よりも小径形態のものであることを特徴とする盛上げタップを実現しているものである。
すなわち、山頂除去部１１の無い状態で提供される、突起形態の除去側取付け部１６を有する盛上げタップを実現しているものである。
【００１９】
切除刃１１の長さ（図では上下幅ないし上下厚み）は、３枚刃形態で１ピッチ以上であればよいのであるが、山頂除去部１５の強度や取付け操作等を考慮しいて１ｍｍ〜３ｍｍとしている。
また、下穴８止まり穴で下穴深さに余裕がない形態では、山頂除去部１１をタップ先端に密着ないし近傍させた位置とするのがよい。
下穴深さに余裕がある、下穴が通り穴である場合は、山頂除去部１１（不要部位除去部）をタップ先端から離した位置にするのもよい。
【実施例２】
【００２０】
図７に示す本発明の実施例２において前記実施例１と主に異なる点は、不要部位除去部（山頂除去部）と除去側取付け部とを同一素材の一体物としたものである。
図７上図のものは、タップ側取付け部を穴形態のタップ側取付け部２８とし、不要部位除去部を前記山頂除去部１１と同一素材・一体物の棒状突起形態の除去側取付け部２９を設けた山頂除去部２７（不要部位除去部）とした盛上げタップであるタップ３０を形成している。
除去側取付け部２９はタップ側取付け部２８に圧入によって取付け固定される。
【００２１】
また、図７下図のものは、タップ側取付け部をねじ穴形態のタップ側取付け部３２とし、不要部位除去部を前記山頂除去部１１と同一素材・一体物の、雄ねじが螺刻された突起形態の除去側取付け部３３を設けたタップ側取付け部３１とした盛上げタップであるタップ３４を形成している。
除去側取付け部３３はタップ側取付け部３２に螺合よって取付け固定される。
【実施例３】
【００２２】
図８に示す本発明の実施例３において前記実施例１と主に異なる点は、タップ側取付け部を雄ねじを螺合したタップ側取付け部３６とし、除去側取付け部を穴形態の除去側取付け部に雌ねじを螺刻した除去側取付け部３７とした山頂除去部３８（不要部位除去部）とし、タップ側取付け部３６に除去側取付け部３７を螺合し山頂除去部３８を固定した盛上げタップであるタップ３９を形成した点にある。
山頂除去部３８を固定したタップ側取付け部３６には、さらにナット４０が螺合されてより強固に固定している。
【００２３】
図８下図において、不要部位除去部である山頂除去部３８とナット４０の間に山頂除去部３８と略同径のワッシャーからなる切屑の落下を止める切屑止部４１を取付けた使用形態を実現する。切屑止部の材質、形態は切屑の落下を止めるものであればよい。
切屑１９は切屑止部４１で受け止ら、下穴に落下することが防止される。
【実施例４】
【００２４】
図９に示す本発明の実施例４において前記実施例１と主に異なる点は、前記タップ側取付け部２８にタップ本体２よりも安価な棒部材からなる突起部４３を圧入固定してある。除去刃固定穴４６を有する山頂除去部１１を、該除去刃固穴４６に突起部４３に圧入ないし焼嵌めにより固定してなる盛上げタップであるタップ４５を形成した点にある。
また、図９下図に示すように、山頂除去部１１の除去刃固定穴４６に突起部４３を圧入ないし焼嵌めにより固定した山頂除去体４８を形成するのもよい。
また、不要部位除去部の下部ないし下方に、下穴の入り口８ａの面取り加工をコンタリング加工により行うための面取り加工部を設けるのもよい。
【実施例５】
【００２５】
図１０に示す本発明の実施例５において前記実施例１と主に異なる点は、不要部位除去部を、その切除刃を非垂直形態（ここでは湾曲形態）である切除刃５７としてなる不要部位除去部である山頂除去部５８とした盛上げタップであるタップ６０を形成した点にある。
また、山頂除去部５８の下部側に該山頂除去部５８とは別体で略同径のワッシャー形態の切屑の落下を止める切屑止部５９を圧入等により取付けている。
【実施例６】
【００２６】
図１１に示す本発明の実施例６において図１１の左図のタップ素材７０は、タップ素材本体７１と、このタップ素材本体７１のシャンク７２と、前記タップ素材本体７１の前記シャンク７２の前方に形成された、ねじが形成されていないねじ形成部７３と、このねじ形成部７３の先端側に設けられた突起形態の、ねじ部が形成された完成タップで被加工材の下穴に形成した螺旋部の不要部位を除去する不要部位除去部を圧入、焼嵌め等により固定するためのタップ側取付け部７４と、を備えてなるとともに、前記タップ側取付け部７４は加工の必要な非完成形態又は加工の必要のない完成形態であるものである。
【００２７】
また、図１１の右図のタップ素材７５は、タップ素材本体７１と、このタップ素材本体７１のシャンク７２と、前記タップ素材本体７１の前記シャンク２の前方に形成された、ねじが形成されていないねじ形成部７３と、このねじ形成部７３の先端側に設けられた穴形態の、ねじ部が形成された完成タップで被加工材の下穴に形成した螺旋部の不要部位を除去する不要部位除去部を圧入、焼嵌め等により固定するためのタップ側取付け部７６と、を備えてなるとともに、前記タップ側取付け部７６は加工の必要な非完成形態又は加工の必要のない完成形態であるものである。
【実施例７】
【００２８】
図１２、図１３に示す実施例７において、切削タップであるタップ９０は次のような構成となっている。
シャンク９１と、
このシャンク９１に続く非テーパの平行ねじ部９２と、
この平行ねじ部９２に続く食付部９３と、
この食付部９３の先端に密着形態、一体形成形態ないし近傍形態で設けられた、逆転時に不要部位であるストップマーク（「ストップライン、カットライン、カットマーク」等ともいう。）を除去する不要部位除去部であるストップマーク除去部９７と、を備えてなるとともに、
前記ストップマーク除去部９７（不要部位除去部）の直径ｅは、タッピングする下穴９６の下穴径ｇよりも小径で、前記食付部９３の先端径ｆよりも大径であり、かつ、厚さｈは１．５ピッチ〜２ピッチの範囲であることを特徴とする切削タップである。
厚さｈは１．５ピッチ以上であるのが好ましく、より好ましくは１．５ピッチ〜４ピッチの範囲、さらに好ましくは１．５ピッチ〜３ピッチの範囲、最も好ましくは１．５ピッチ〜２ピッチの範囲がよい。
平行ねじ部９２、食付部９３とでねじ部９４を形成し、ねじ部９４、シャンク９１とでタップ本体９５を形成している。
ねじ部９４は平行ねじ部９２および食付部９３が形成された３つのランド９８と、該ランド９８間に形成された３つの切屑排出溝９９が形成されている。
タップ本体９５の先端には穴形態のタップ側取付け部１０７が設けられている。タップ側取付け部はピン形態、ねじ形態、焼嵌め嵌合形態などでもよい。
【００２９】
ストップマーク除去部９７（不要部位除去部）は、除去部本体１０５と、この除去部本体１０５に形成された切屑排出溝９９と略同じ形態で略同じ位置の３つの溝１０１と、ランド９８と略同じ形態で略同じ位置の３つのランド１０２と、このランド１０２の先端に形成された不要部位の除去手段である３つの切除刃１０３と、除去部本体１０５の中央に突出形態で設けられた圧入ピンからなる除去側取付け部１０６と、を備えてなる構成である。
除去側取付け部１０６をタップ側取付け部１０７に圧入して取り付けている。
【００３０】
切削タップは主に食付部で下穴を切削（タッピング）してねじを形成して行くのであるが、タッピングを停止したときに食付部の刃は切削中であるので停止した箇所にストップマーク（不要部位）と言われる段差が形成される。タップ９０は、逆回転抜き動作でこの不要部位であるストップマークを切除刃１０３で切削除去するものである。
切削タップは下穴に雌ねじ９とその先の非ねじ螺旋部位とからなる螺旋部を形成するのであるが、不要部位であるストップマークは前記非ねじ螺旋部位に形成される。
【実施例８】
【００３１】
前記実施例１〜実施例７で示してきた不要部位除去部（山頂除去部１１、２７、３８、５８、ストップマーク除去部９７）は、タップ本体とは別体のタップの不要部位除去体として単体で提供可能なものである。
その技術的思想は、被加工材に設けられた下穴の壁に正回転動作で螺旋部を形成するねじ部を有するタップ本体、このタップ本体の先方に取付けられるタップの不要部位除去体であって、逆回転抜き動作で前記螺旋部の不要部位を除去する前記下穴径よりも小径の不要部位除去部と、この不要部位除去部に突起形態ないし穴形態で設けられた、前記タップ本体の先端側に設けられた穴形態ないし突起形態のタップ側取付け部に圧入、焼嵌め、ねじ止等により固定するための除去側取付け部と、を備えてなることを特徴とするタップの不要部位除去体である。
【００３２】
［付記］
[付記１］
被加工材に設けられた下穴の壁を、正回転動作で塑性変形させて雌ねじを形成するねじ部を有するタップ本体と、
前記ねじ部の先方側に設けられた、逆回転抜き動作で前記雌ねじの山頂部分を除去する前記下穴径よりも小径の山頂除去部と、を備えたことを特徴とする盛上げタップ。
「ねじ部の先方側に設けられた」とは、ねじ部先端に密着形態、ねじ部先端に該先端と一体形態、ないしねじ部先端から離れた位置に設けられた形態などがある。
（１）山頂除去部をねじ部の先方側に設けた構成であるので、ねじ部に山頂除去刃を有さない該ねじ部が全て転造ねじ部位からなる構成であっても、ねじ部の先方側の山頂除去部によって抜き回転動作である逆回転抜き動作で、シームを有する雌ねじの山頂部分位を除去することを実現する。
（２）ねじ部が山頂除去部位を有さない全て転造ねじ部位とできるので、その形態とするなら、従来技術である特許文献１の（１）で述べた欠点を解消するものである。
（３）山頂除去部をねじ部の先方側に設けた構成、すなわち、ねじ部から先方に位置する該ねじ部ではない位置に山頂除去部を備えている形態であるので、ねじ部ではない箇所に位置する山頂除去部のみを熱処理する、電着処理をする又は蒸着膜等の表面処理をするなどの処理を行うことが可能であり、またかかる処理等を行ったものを使用可能とできるので、ねじ部に影響を与えないで山頂除去部の耐久性、切削性能を強化することを可能にする。
[付記２］
前記山頂除去部は、複数の切屑排出溝、該切屑排出溝の間に設けれた複数のランド、前記ランドに前記山頂部分を切除する切除刃が設けられた形態であることを特徴とする付記１記載の盛上げタップ。
前記付記１記載の発明と同様な効果を奏するとともに、山頂除去部に複数の切屑排出溝があるので切屑の排出を円滑に行うことができるので、切屑の噛み込み等が生じいないタップを実現する。
また、山頂除去部が複数のランドを有し、該ランドのそれぞれに切除刃（例えば２〜４刃）を設けているので、切除刃を複数設けることにより１つの雌ねじ山頂の切除を複数の切除刃で担うことを可能とできる。すなわち、１つの切除刃の幅が分割できる（切削屑が小さくなる）ので、切除刃毎の切削抵抗および切り込み衝撃を小さいものとでき、また、ランドごとの複数の切除刃がそれぞれ雌ねじ山頂に切り込んで行くので、振れや偏芯が起こり難く、また小さくできるものである。
[付記３］
前記ねじ部より先端側に該ねじ部の先端径より小径の突起形態のタップ側取付け部が設けられ、前記タップ側取付け部に該タップ側取付け部の径より大径の前記山頂除去部が設けられたことを特徴とする付記１又は２記載の盛上げタップ。
このような構成としても、前記付記１又は２記載の発明と同様な効果を奏する。
[付記４］
前記タップ側取付け部は前記タップ本体の母材からなるものであり、前記山頂除去部は前記タップ側取付け部とは別体であることを特徴とする付記１〜３又は４記載の盛上げタップ。
前記付記１、２又は３記載の発明と同様な効果を奏するとともに、前記突起部は前記タップ本体の母材そのものであるので、突起部は低コストで設けた形態とできる。また、山頂除去部が突起部とは別体であるので、山頂除去部をタップ本体の母材とは異なる材質の素材のものを使用することができ、また焼入れや表面処理を施したものを使用できるので、山頂除去部をタップ本体の母材からなるものよりも高切削性能のもの高耐久性のものを使用可能にできる。よって、被加工材の性質に対応した材質や処理を施した山頂除去部にすることを可能とする。
また、突起部を設けたままの山頂除去部無し盛上げタップとして使用することを可能とし、また突起部を取り除いて山頂除去部無し盛上げタップとして使用することを可能とするものである。
[付記５］
前記山頂除去部は前記タップ本体の母材とは別体であり、且つ、圧入、焼嵌め、ねじ止め等の取り外し可能な形態で固定される形態であることを特徴とする付記１〜３又は４記載の盛上げタップ。
前記付記１〜３又は４記載の発明と同様な効果を奏するとともに、前記山頂除去部は圧入、焼嵌め、ねじ止め等の取り外し可能な形態で固定される形態であるので、必要な場合に山頂除去部付き盛上げタップにして使用することを可能とでき、また山頂除去部が破損等した場合には交換することを可能としている。
[付記６］
前記ねじ部は、前記山頂除去部を設けていない形態であることを特徴とする付記１〜４又は５記載の盛上げタップ。
前記付記１〜５又は６記載の発明と同様な効果を奏するとともに、山頂除去部を設けないねじ部であるので、山頂除去部の形成によるねじ部が不良になることが生じないものにできる。
[付記７］
被加工材に設けられた下穴の壁を、正回転動作で塑性変形させて雌ねじを形成するねじ部を有するタップ本体と、
前記ねじ部の先端側に設けられた突起形態の又は穴形態のタップ側取付け部と、を備えてなるとともに、
前記タップ側取付け部に、穴形態の又は突起形態の除去側取付け部を有する山頂除去部の該除去側取付け部を圧入、焼嵌め、ねじ止め等により固定可能としたものであり、
前記山頂除去部は、逆回転抜き動作で前記雌ねじの山頂部分を除去する前記下穴径よりも小径形態のものであることを特徴とする盛上げタップ。
ねじ部の先端側にタップ側取付け部を設けているので、このタップ側取付け部に圧入、焼嵌め、ねじ止等により固定可能した除去側取付け部を有する雌ねじの山頂部分を除去する山頂除去部を取り付けることができる盛上げタップを実現している。
[付記８］
被加工材に設けられた下穴の壁を、正回転動作で塑性変形させて雌ねじを形成するねじ部を有するタップ本体、このタップ本体の先方に取付けられる盛上げタップの山頂除去体であって、
逆回転抜き動作で前記雌ねじの山頂部分を除去する前記下穴径よりも小径の山頂除去部と、
この山頂除去部に突起形態ないし穴形態で設けられた、前記タップ本体の先端側に設けられた穴形態ないし突起形態のタップ側取付け部に圧入、焼嵌め、ねじ止等により固定するための除去側取付け部と、を備えてなることを特徴とする盛上げタップの山頂除去体。
山頂除去体は下穴に形成された雌ねじの山頂部分を除去する山頂除去部と除去側取付け部を有しているので、前記除去側取付け部を、タップ本体の先端側に設けられた穴形態ないし突起形態のタップ側取付け部に、圧入、焼嵌め、ねじ止等により固定して、山頂除去部付きの盛り付けタップを簡単、容易に実現できる。
[付記９］
盛上げタップ素材であって、タップ素材本体と、このタップ素材本体のシャンクと、前記タップ素材本体の前記シャンクの前方に形成された、ねじが形成されていないねじ形成部と、このねじ形成部の先端側に設けられた突起形態ないし穴形態の、ねじ部が形成された完成タップで被加工材の下穴に形成した雌ねじの山頂部分を除去する山頂除去部を圧入、焼嵌め、ねじ止等により固定するためのタップ側取付け部と、を備えてなるとともに、
前記タップ側取付け部は加工の必要な非完成形態又は加工の必要のない完成形態であることを特徴とする盛上げタップ素材。
タップ側取付け部を形成しやすいないし予め設けた形態で提供されるので、山頂除去部を有する盛上げタップないし山頂除去部を取付けやすくした盛上げタップの形成行い易くでき、また低コストにできる。
【産業上の利用可能性】
【００３３】
本発明は、被加工材の下穴に雌ねじを形成する産業で利用される。
【符号の説明】
【００３４】
１：タップ、
２：タップ本体、
３：シャンク、
４：平行ねじ部、
５：食付部、
６：ねじ部、
７：被加工材、
８：下穴、
９：雌ねじ、
１０：山頂部位（不要部位）、
１１：山頂除去部（不要部位除去部）、
１２：タップ側取付け部、
１３：切屑排出溝、
１４：ランド、
１５：切除刃、
１６：除去側取付け部、
１７：逃げ、
１８：シーム、
１９：切屑、
２８：タップ側取付け部、
２９：除去側取付け部、
３０：タップ、
３１：タップ側取付け部、
３２：タップ側取付け部、
３３：除去側取付け部、
３４：タップ、
３６：タップ側取付け部、
３７：除去側取付け部、
３８：山頂除去部（不要部位除去部）、
３９：タップ、
４０：ナット、
４１：切屑止部、
４３：突起部、
４５：タップ、
４６：除去刃固定穴、
４８：山頂除去体、
５０：面取り加工部、
５７：切除刃、
５８：山頂除去部（不要部位除去部）、
５９：切屑止部、
６０：タップ、
７０：タップ素材、
７１：タップ素材本体、
７２：シャンク、
７３：ねじ形成部、
７４：タップ側取付け部、
７５：タップ素材、
７６：タップ側取付け部。
９０：タップ、
９１：シャンク、
９２：平行ねじ部、
９３：食付部、
９４：ねじ部、
９５：タップ本体、
９６：下穴、
９７：ストップマーク除去部（不要部位除去部）、
９９：切屑排出溝、
１０１：溝、
１０２：ランド、
１０３：切除刃、
１０５：除去部本体、
１０６：除去側取付け部、
１０７：タップ側取付け部。
【図１】
2020078836.tif 000003
【図２】
2020078836.tif 000004
【図３】
2020078836.tif 000005
【図４】
2020078836.tif 000006
【図５】
2020078836.tif 000007
【図６】
2020078836.tif 000008
【図７】
2020078836.tif 000009
【図８】
2020078836.tif 000010
【図９】
2020078836.tif 000011
【図１０】
2020078836.tif 000012
【図１１】
2020078836.tif 000013
【図１２】
2020078836.tif 000014
【図１３】
2020078836.tif 000015